(57)【特許請求の範囲】
【請求項１】
断面が楕円形状を成し、その長径軸（Ｘ）方向の楕円外側に向けて開かれた２つの蟻溝（１１・１１）が、短径軸（Ｙ）を境に左右対称に長径軸上（Ｘ−Ｘ）だけに配置されており、内部の溝腔（１３）を含む蟻溝（１１）の断面が、長径軸（Ｘ）を境に上下対称形を成し、
左右の蟻溝（１１）と蟻溝（１１）の間に、左右の蟻溝（１１）と蟻溝（１１）の間を結ぶ中立板（３５）に仕切られた２つの空洞（１２）が、長径軸（Ｘ）を境に上下対称に短径軸上（Ｙ−Ｙ）に配置されており、それら２つの各空洞（１２）の断面が短径軸（Ｙ）を境に左右対称形を成している可撓性装飾地係止桿。
【請求項２】
前掲請求項１に記載の２本の可撓性装飾地係止桿（１４・１４）が、それらの片側の蟻溝（１１・１１）を向かい合わせにして平行に配置されており、
それら２本の係止桿（１４・１４）が連結材（１５）を介して連結されて座具フレーム（１６）を構成しており、
可撓性装飾地（１７）が係止桿（１４）と係止桿（１４）の間に張設されており、
その装飾地（１７）の端縁（２１）が、その端縁（２１）に沿って続く空洞（１９）を有する筒状袋縁（１８）を構成しており、
その筒状袋縁（１８）が係止桿（１４）の蟻溝（１１）に差し込まれており、
その差し込まれた筒状袋縁（１８）の空洞（１９）に楔桿（２０）が差し込まれており、
その差し込まれた楔桿（２０）によって空洞（１９）が蟻溝（１１）の溝腔内（１３）で脹らんで、装飾地（１７）の端縁（２１）が蟻溝（１１）に係合して係止桿（１４）に係止されている布バネ座具。
【請求項３】
２本の係止桿（１４Ａ・１４Ｂ）の間に張設された可撓性装飾地（１７）が、
２本の係止桿（１４Ａ・１４Ｂ）の中の１本の係止桿（１４Ａ）の外側の蟻溝（１１ａＡ）と、他の１本の係止桿（１４Ｂ）の外側の蟻溝（１１ｂＢ）の間に張設され、又は、
２本の係止桿（１４Ａ・１４Ｂ）の中の１本の係止桿（１４Ａ）の外側の蟻溝（１１ａＡ）と、他の１本の係止桿（１４Ｂ）の外側の蟻溝（１１ｂＢ）の間に張設されると同時に、２本の係止桿（１４Ａ・１４Ｂ）の中の１本の係止桿（１４Ａ）の内側の蟻溝（１１ｂＡ）と、他の１本の係止桿（１４Ｂ）の内側の蟻溝（１１ａＢ）の間に、バックアップ地（３０）若しくはランバーサポートとして張設されている前掲請求項２に記載の布バネ座具。
【請求項４】
前掲請求項１に記載の可撓性装飾地係止桿（１４・１４）を使用している間仕切り、ロールスクリーン、ローマンシェード、垂れ幕又は緞子張り。
【発明の詳細な説明】
【技術分野】
【０００１】
本発明は、天井、壁面、窓、室内仕切り面等の屋内空間や家具、建具等の屋内装飾品の外面を装飾するために使用される織物、編物、不織布、紙、繊維を表面の主材とする人工皮革、プラスチック皮膜を表面の主材とする合成皮革、天然皮革等の可撓性を有する装飾地（以下、これらを「装飾地」と総称する。）を把持して緊張するため使用される桿材（以下、「係止桿」と言う。）、および、その２本の係止桿を車両座席、事務用椅子、長椅子、座椅子、車椅子等の座具フレームの一部として配置し、それら２本の係止桿の間に装飾地を張設して成る布バネ座具や、間仕切り等に関するものである。
【背景技術】
【０００２】
座具フレームに装飾地を張設する方法としては、座具フレームに装飾地の端縁を押し込む押込溝を設け、細い圧入桿と共に装飾地の端縁を押込溝に圧入して係止する端縁圧入方式（例えば、特許文献１参照）、その端縁の係止される座具フレームを二重にし、その一方のフレームの押込溝に装飾地の端縁を圧入して係止すると共に、その係止するフレームに他方のフレームを重ね合わせてフレームとフレームの間で装飾地を挟む二重係止方式（例えば、特許文献２参照）、装飾地の端縁を係止するフレームの押込溝を蟻溝とすると共に、装飾地の端縁を内部空洞を有する筒状袋縁とし、その蟻溝に差し込んだ筒状袋縁の空洞に楔桿を差し込み、蟻溝内部の溝腔内で筒状袋縁を楔桿によって脹らませる蟻溝方式（例えば、特許文献３参照）、装飾地の端縁を筒状袋縁とし、その内部空洞に座具フレームの一部を成すパイプを差し込むパイプ差込方式（例えば、特許文献４参照）が知られている。
【０００３】
【特許文献１】特開２００６−１１０００４号公報、図６
【特許文献２】特開２００６−１１００００号公報、図７
【特許文献３】特開平１１−１３７６０９号公報（特許第３４８６７２８号公報）、図３
【特許文献４】特開２００３−１８９９８１号公報、図７
【発明の開示】
【発明が解決しようとする課題】
【０００４】
上記端縁圧入方式（特許文献１参照）では、圧入した圧入桿の押込溝からの抜け出しを防止するために圧入桿の座具フレームへのビス止めを必要とし、そのビス孔を穿設しても破壊しない程度の太い圧入桿や嵩の高い座具フレームが必要とされるので、端縁圧入方式によって座具を軽量化し、スリムに構成するには無理がある。
上記二重係止方式（特許文献２参照）では、装飾地の端縁を挟むために２つのフレーム部材を必要とするので、二重係止方式によって座具を軽量化しスリムに構成することは、端縁圧入方式による場合よりも更に困難である。
【０００５】
上記蟻溝方式（特許文献３参照）では、座具フレームに金属パイプが使用されており、それに蟻溝を付ければ撓み易くなり、強度的に不安定になり、装飾地を強く緊張させて張設することは出来ず、特に、蟻溝付きパイプを折り曲げるときは、蟻溝が変形して塞がれるので、蟻溝方式によって背凭れ部から腰載部へと折れ曲がって続く座具フレームを構成することは出来ない。
【０００６】
上記パイプ差込方式（特許文献４参照）では、パイプ（座具フレーム）が、その差し込む筒状袋縁に包まれるので、そのパイプを座具の本体フレームにビス止めする場合には、パイプのみならず装飾地（筒状袋縁）にもビス孔を穿設しなければならず、そのビス孔から装飾地が解れ易くなるので、パイプ差込方式によって耐久性に優れた布バネ座具を得ることは出来ない。そして、パイプ差込方式では、背凭れ部から腰載部へと折れ曲がって続く座具フレームを構成することが困難なことは、上記蟻溝方式の場合と同様である。
【０００７】
そこで、本発明は、パイプを曲折加工して背凭れ部から腰載部へと連続し、装飾地を強く緊張して確り張設することが出来、軽くて取り扱い易く、体裁がスリムでデザイン的にも新規な布バネ座具や、間仕切り等を得ることを目的とする。
【０００８】
上記目的を達成するため、折り曲げた際に断面が大きく変化して亀裂し破断したホースやパイプの曲折箇所を具に観察した結果、次の事柄が確認された。
（１）  円形パイプ５０は、折り曲げて生じる彎曲線の外周面側と内周面側が同じように変形し、幅Ｔが広がり、断面が平板になり、その平板な外周面側部分５１と平板な内周面側部分５２が重なって平板な二重断面構造を成している（図１３−ｄ）。
（２）  平板な二重断面構造の左右側端部５３・５３には、その左右側端部５３・５３の間の中央部５４に比して大きい隙間５５が構成され、その側端５６がＣ字形の断面形状を成して隙間５５を包囲しており、その包囲するＣ字形断面の側端５６が隙間５５が押し潰されるのを防ぐフランジの役目を果たしている（図１３−ｄ）。
（３）  そのフランジの役目を果たしているＣ字形断面の側端５６が更に変形して平板になり、その包囲していた隙間５５が消失すると、曲折箇所に亀裂が発生し、円形パイプ５０が破断する。
【０００９】
この観察結果に基づいて推考し、次の知見を得た。
（１）  折り曲げられて左右側端部５３に変形する前の元の円形パイプ５０の左右側端部６３・６３の間を平板な中立部材６４によって連結しておけば、円形パイプ５０の幅Ｓは折り曲げられても広がり難くなる（図１３−ｃ）。
（２）  円形パイプ５０の左右側端部６３・６３の間を平板な中立部材６４によって連結すれば、円形パイプ５０の内部空洞は、上下２つの半円形空洞６５に仕切られて押し潰され難くなる（図１３−ｃ）。
（３）  折り曲げられて左右側端部５３に変形する前の元の円形パイプ５０の左右側端部６３・６３を補強して厚くしておけば、折り曲げられてＣ字形断面に変形した側端５６が更に平板に変形し難くなるので、曲折箇所に亀裂が発生し難く、破断し難くなる。
（４）  折り曲げられて左右側端部５３に変形する前の元の円形パイプの左右側端部６３・６３は、平板に変形し難い部分であるから、その左右側端部６３・６３に隣り合わせに蟻溝６６・６６を設ければ、その蟻溝６６・６６も変形し難くなる（図１３−ｃ）。
（５）  円形パイプの左右側端６３・６３の間を中立部材６４によって連結し（図１３−ｃ）、その左右側端６３・６３を厚くしておけば、変形して平板になる部分は、その厚くした左右側端部６３・６３の間の弓形部分６１・６１だけになるので、円形パイプ５０を楕円形パイプにして弓形部分６１・６１の曲率半径を大きくすれば、その弓形部分６１・６１が平板に変形するとしても左程大きくは変形せず、パイプ全体として断面の変形は目立たなくなる。
【００１０】
本発明は、上記知見のもとに、係止桿１４に使用するパイプの断面を楕円形状にし、その長径軸上Ｘ−Ｘの左右側端部間を中立板３５（６４）で連結して内部空洞１２を上下に２分すると共に、その左右側端３６（６３）を分厚くし、その分厚くした左右側端３６（６３）に蟻溝１１（１３）を設けてパイプを折り曲げ易くし、中立板３５に向き合うパイプ周面の弓形部分６１の幅（Ｓ）を狭くし、パイプを折り曲げた際に弓形部分６１が平板に変形するとしても、格別目立たないようにして完成された。
【課題を解決するための手段】
【００１１】
従って、本発明に係る係止桿１４は、（ａ）  断面が楕円形状を成し、その長径軸Ｘ方向の楕円外側に向けて開かれた２つの蟻溝１１・１１が、短径軸Ｙを境に左右対称に長径軸上Ｘ−Ｘだけに配置されており、内部の溝腔１３を含む蟻溝１１の断面が、長径軸Ｘを境に上下対称形を成し、（ｂ）左右の蟻溝１１と蟻溝１１の間に、左右の蟻溝１１と蟻溝１１の間を結ぶ中立板３５に仕切られた２つの空洞１２が、長径軸Ｘを境に上下対称に短径軸上Ｙ−Ｙに配置されており、それら２つの各空洞１２の断面が短径軸Ｙを境に左右対称形を成していることを第１の特徴とする。
【００１２】
本発明に係る係止桿１４は、この他に、（ｃ）  長径Ｗが短径Ｖの１．３倍〜３倍であり、（ｄ）  長径軸上Ｘ−Ｘに平行する方向における空洞１２の幅Ｑが長径Ｗの０．４倍〜１．２倍であり、（ｅ）  溝腔１３を含む蟻溝１１・１１の空隙の断面積と内部空洞１２・１２の空隙の断面積との合計空隙断面積が、可撓性装飾地係止桿１４の断面積に占める内部空隙率が４５±１５（％）である点を有していても良い。
具体的に短径Ｖと長径を示すと、短径Ｖを９±４（ｍｍ）、長径Ｗを２４±１６（ｍｍ）とし、好ましくは、短径Ｖを９±２（ｍｍ）、長径Ｗを２１±１２（ｍｍ）とする。
蟻溝１１・１１の空隙と内部空洞１２・１２の空隙との合計空隙断面積が係止桿１４の断面積に占める内部空隙率は、４５±８（％）にすることが望ましい。
【００１３】
本発明に係る布バネ座具は、上記の係止桿１４を座具フレームの一部に用いて構成され、（ａ）  その２本の係止桿１４・１４が、それらの片側の蟻溝１１・１１を向かい合わせにして平行に配置されており、（ｂ）  それら２本の係止桿１４・１４が連結材１５を介して連結されて座具フレーム１６を構成しており、（ｃ）  可撓性装飾地１７が係止桿１４と係止桿１４の間に張設されており、（ｄ）  その装飾地１７の端縁２１が、その端縁２１に沿って続く空洞１９を有する筒状袋縁１８を構成しており、（ｅ）  その筒状袋縁１８が係止桿１４の蟻溝１１に差し込まれており、（ｆ）  その差し込まれた筒状袋縁１８の空洞１９に楔桿２０が差し込まれており、（ｇ）  その差し込まれた楔桿２０によって空洞１９が蟻溝１１の溝腔内１３で脹らんで、装飾地１７の端縁２１が係止桿１４に係止されていることを第１の特徴とする。
【００１４】
本発明に係る布バネ座具の第２の特徴は、上記第１の特徴に加えて、２本の係止桿１４Ａ・１４Ｂの間に張設された可撓性装飾地１７が、２本の係止桿１４Ａ・１４Ｂの中の１本の係止桿１４Ａの外側の蟻溝１１ａＡと、他の１本の係止桿１４Ｂの外側の蟻溝１１ｂＢの間に張設され、又は、２本の係止桿１４Ａ・１４Ｂの中の１本の係止桿１４Ａの外側の蟻溝１１ａＡと、他の１本の係止桿１４Ｂの外側の蟻溝１１ｂＢの間に張設されると同時に、２本の係止桿１４Ａ・１４Ｂの中の１本の係止桿１４Ａの内側の蟻溝１１ｂＡと、他の１本の係止桿１４Ｂの内側の蟻溝１１ａＢの間に、バックアップ地３０若しくはランバーサポートとして張設されている点にある。
【００１５】
本発明に係る布バネ座具は、これらの他に、係止桿１４が、その長さ方向において４５度以上折り曲げられており、その曲折箇所２２の前後において装飾地が連続した曲面２３を形成している点を有していても良い。
【００１６】
本発明に係る布バネ座具は、上記の他に、係止桿１４が第１曲折箇所３１と第２曲折箇所３２と第３曲折箇所３３の３箇所で折れ曲がっており、一端から第１曲折箇所に到る部分が背凭れ部２４を構成し、第１曲折箇所から第２曲折箇所に到る部分が腰載部２５を構成し、第２曲折箇所から第３曲折箇所に到る部分が脚部２６を構成し、第３曲折箇所から他端に到る部分が支脚部２７を構成している点を有していても良い。
【００１７】
本発明に係る布バネ座具は、上記の他に、連結材１５の中間部２８が装飾地の張設面２９から離れる方向に膨出した山形形状を成している点を有していても良い。
【００１８】
本発明に係る布バネ座具は、上記の他に、腰載部２５と支脚部２７のそれぞれに、中間部２８・２８を向かい合わせに連結材１５・１５が接合されている点を有していても良い。
【００１９】
本発明に係る布バネ座具は、装飾地の片側の端縁２１Ａが、平行に配置された２本の係止桿の中の１本の係止桿１４Ａの外側の蟻溝１１ａＡに係止され、装飾地の他の片側の端縁２１Ｂが２本の係止桿の中の他の１本の係止桿１４Ｂの外側の蟻溝１１ｂＢに係止されているとも言え、それら２本の各係止桿１４の外側の蟻溝１１ａから内側の蟻溝１１ｂに到る片面が、装飾地１７に被覆されている点を有していても良い。
【００２０】
本発明に係る布バネ座具は、（ａ）  平行に配置された２本の係止桿の中の１本の係止桿１４Ａの内側の蟻溝１１ｂＡと、２本の係止桿の中の他の１本の係止桿１４Ｂの内側の蟻溝１１ａＢの間にバックアップ地３０が張設されており、（ｂ）  そのバックアップ地３０の端縁２１’が、その端縁２１’に沿って続く空洞１９’を有する筒状袋縁１８’を構成しており、（ｃ）  その筒状袋縁１８’が係止桿の内側の蟻溝１１ｂＡ（１１ａＢ）に差し込まれており、（ｄ）  その差し込まれた筒状袋縁１８’の空洞１９’に楔桿２０’が差し込まれており、（ｅ）  その差し込まれた楔桿２０’によって空洞１９’が蟻溝の溝腔内１３’で脹らんで、バックアップ地３０の端縁２１’が蟻溝１１に係合して係止桿１４に係止されているとも言える。
【００２１】
本発明に係る布バネ座具は、上記の他に、可撓性装飾地１７が、破断伸度が６０（％）以上であり、１５％伸長後の弾性回復率が９０（％）以上である弾性糸条を有する弾性織編布帛であり、２本の係止桿１４・１４が向き合う布バネ座具の幅方向における弾性織編布帛（１７）の１０％伸長時の応力（Ｆ）（単位：Ｎ／５ｃｍ）が、５０≦Ｆ≦６００（Ｎ／５ｃｍ）である点を有していても良い。
【００２２】
本発明に係る間仕切り、ロールスクリーン、ローマンシェード、垂れ幕又は緞子張りは、上記の係止桿１４を使用していることを特徴とする。
【発明の効果】
【００２３】
本発明に係る係止桿１４では、２つの蟻溝１１ａ・１１ｂが、係止桿１４をその長さ方向において折り曲げるとき伸縮しない中立面である長径軸上Ｘ−Ｘにおいて短径軸Ｙを境に左右対称に配置されているので、その断面形状が曲折箇所２２において変形せず、溝幅Ｇが狭くなって装飾地の筒状袋縁１８が差し込み難くなることはない。
【００２４】
本発明に係る係止桿１４には、その長さ方向に続く蟻溝１１が形成されているので、空洞１９を有する筒状袋縁１８を端縁２１に付設して装飾地１７を蟻溝１１差し込み、その差し込んだ筒状袋縁１８の空洞１９に楔桿２０を差し込んで蟻溝の溝腔内１３で脹らませると、装飾地１７の端縁２１が蟻溝１１に係合し、装飾地１７を強く引っ張っても係止桿１４から外れることはない。
加えて、係止桿１４は、内部空洞１２を有するので軽く、断熱性を有し、結露し難く、楕円形断面形状を成し、外面が丸みを帯びているので肌触りが柔らかく、装飾地の使用される室内仕切りや家具、建具等の肌身の触れ易い屋内装飾品の部材に好適である。
【００２５】
本発明に係る係止桿１４は、内部に空洞１２があっても、断面が楕円形状を成し、その長径軸上Ｘ−Ｘに位置する左右の蟻溝１１ａ・１１ｂの間が中立板３５に結ばれているので、係止桿の長さ方向に折り曲げても幅（長径Ｗ）が広がらず、内部空洞１２・１２の左右の側端３６が長径軸Ｘに直交するフランジを構成しているので、係止桿をその長さ方向に折り曲げても曲折箇所２２の曲率半径が小さくなり難く、その曲折箇所２２が角張らずなだらかに彎曲する（図３）。
【００２６】
内部空洞１２を間において中立板３５に向かい合う係止桿の外周面部４１と内周面部４２は、長径軸Ｘに直交してフランジを構成する左右の側端３６・３６に接合された両端固定支持梁状を成し、その幅Ｑが長径Ｗの０．４倍〜１．２倍になっている際には、外周面部４１と内周面部４２が弓形に隆起して突き出ているとしても、その突出高さＰは左程高くはならない（図１）。
従って、係止桿１４を屋内装飾品の曲面に応じて折曲加工するとき、その曲折箇所２２において弓形に突き出ていた外周面部４１と内周面部４２が変形して平板になるとしても、その変形は殆ど目立たない（図１３−ａ・ｂ）。
一方、そのように殆ど目立たない程度であるとしても、曲折箇所２２には折曲加工時に外周面部４１と内周面部４２が平板に変形する余裕があるので、無理なく折曲加工することが出来る。
【００２７】
このように、本発明によると、装飾地１７の端縁２１を確り係止することが出来、装飾地１７を張設する曲面に応じて折曲加工し易い装飾地係止桿１４が得られる。
【００２８】
本発明に係る布バネ座具では、上記の係止桿１４を座具フレームの一部とし、その長径軸Ｘを座具の幅方向に向けて配置するので、張設した装飾地１７のテンションは長径軸Ｘに平行に作用する。そのため、係止桿１４は、装飾地１７から伝わるテンションによって撓むことがなく、係止桿の間で装飾地１７を強く緊張させることが出来る。
【００２９】
本発明で、連結材１５の中間部２８を装飾地の張設面２９から離れる方向に膨出した山形形状にした際には、体圧を受けて装飾地１７が沈み込んでも、肢体が連結材１５に当って痛みを感じさせることはない。
【００３０】
本発明で、座具フレームの腰載部２５と支脚部２７のそれぞれに、中間部２８・２８を向かい合わせに連結材１５・１５が接合されている際には、体圧を受けて係止桿１４が撓んでも、向かい合わせになっている腰載部２５の連結材１５と支脚部２７の連結材１５が突き当たるので、それ以上大きく撓むことはなく（図４）、材質が弾性を欠く硬質プラスチックやアルミニウムに成る係止桿１４でも、使用中に生じる撓みを弾性限度内に抑えることが出来、硬質プラスチックやアルミニウムを使用することによって係止桿１４を軽量化することが出来、錆の発生しない係止桿１４を得ることが出来る。
【００３１】
本発明では、装飾地の片側の端縁２１Ａを２本中１本の係止桿１４Ａの外側の蟻溝１１ａＡに係止し、装飾地の他の片側の端縁２１Ｂを２本中他の１本の係止桿１４Ｂの外側の蟻溝１１ｂＢに係止したので、それらの係止桿１４・１４の外側の蟻溝１１ａから内側の蟻溝１１ｂに到る片面が装飾地１７に被覆されることになり、係止桿１４に金属メッキや塗装を施す必要はなく、布バネ座具の製造コストを抑えることが出来る（図２）。
本発明の係止桿１４には蟻溝１１・１１が左右対称に左右に設けられているので、係止桿１４・１４の片面を被覆するように外側の蟻溝１１ａＡと他の片側の係止桿１４Ｂの外側の蟻溝１１ｂＢの間に装飾地１７を張設する場合、その残りの内側の蟻溝１１ｂＡと内側の蟻溝１１ａＢの間にランバーサポートやバックアップ地を張設することが出来る。
【００３２】
そして、２本の係止桿の中の１本の係止桿１４Ａの内側の蟻溝１１ｂＡと、２本の係止桿の中の他の１本の係止桿１４Ｂの内側の蟻溝１１ａＢの間にバックアップ地３０を張設する場合には、片側の係止桿１４Ａの外側の蟻溝１１ａＡと他の片側の係止桿１４Ｂの外側の蟻溝１１ｂＢの間に張設する装飾地１７を格別強く緊張する必要はなく、その装飾地１７には装飾性には優れていても伸び易い布帛やプラスチックフイルム地を使用することが出来、布バネ座具のデザイン設計が自由になる（図２・図６）。
又、表装地１７とバックアップ地３０の間には、クッション材や断熱材等の機能性詰物３７を挿入することが出来る隙間が出来るので、その詰物３７によって機能性に優れた布バネ座具を得ることが出来る（図２）。
【００３３】
本発明で、１０％伸長時の応力（Ｆ）が５０≦Ｆ≦６００（Ｎ／５ｃｍ）の弾性織編布帛を装飾地１７とし、その１０％伸長時の応力（Ｆ）の作用方向を布バネ座具の幅方向に向けて張設した際には、その張設面２９に弛みや窪みが発生することはなく、張設面２９が弾性的に平滑に保たれ、クッション性に優れた布バネ座具が得られる。
そのように、布バネ座具の幅方向に弾性伸縮する弾性装飾地１７を使用するときは、強く緊張することが望まれる椎骨部、或いは、腰載部の脚部側に片寄った前半部分の幅が狭くなるように弾性装飾地を裁断し、それを左右の幅（間隔）を一定に揃えて配置した２本の係止桿の間に張設することによって椎骨部と腰載部前半を強く緊張して体重を受けて沈み込まないようにする一方、その他の部分では比較的沈み込み易くし、身体の起伏形状に合わせて弾性装飾地が変形し、身体から加わる体圧が弾性装飾地全体に均等に分散する体圧分散型の布バネ座具を得ることが出来る。
【００３４】
弾性織編布帛は、ランバーサポートやバックアップ地３０に使用することも出来る。
そのようにランバーサポートやバックアップ地３０に使用する場合、特に、片側の係止桿１４Ａの外側の蟻溝１１ａＡと他の片側の係止桿１４Ｂの外側の蟻溝１１ｂＢの間に張設する装飾地１７の撓みを抑えるランバーサポートに使用する場合には、１０％伸長時の応力（Ｆ）が１５０（Ｎ／５ｃｍ）以上の伸び難い弾性織編布帛を使用する。
【発明を実施するための最良の形態】
【００３５】
弾性織編布帛を構成する破断伸度が６０（％）以上で、１５％伸長後の弾性回復率が９０（％）以上の弾性糸条には、ポリエーテル系エステルを芯成分ポリマーとし、その芯成分ポリマーよりも低融点の熱融着性ポリマーを鞘成分ポリマーとする熱融着性芯鞘複合ポリエーテル系エステル弾性糸条（繊度：２０８０ｄｔｅｘ、東洋紡績株式会社製品名：ダイヤフローラ）を使用することが出来る。
弾性織編布帛は、弾性糸条を経糸と緯糸の何れかに使用した織物であってもよく、弾性糸条を編糸と挿入糸の何れかに使用した編物（経編・緯編）であってもよく、それらは二重に織編成されたものであっても、表面パイル立毛を有する有毛布帛であってもよい。
【００３６】
本発明において、布バネ座具と言う「布バネ」とは、２本の係止桿１４・１４の間に緊張させて張設された装飾地の張設面２９に垂直に荷重が作用するとき、装飾地に生じるテンション（張力）によって装飾地がバネのように垂直荷重に対抗して弾力的に作用することを意味し、２本の係止桿１４・１４の間に布帛を緊張して張設して成る構造物は、「布バネ」と称されている。
【００３７】
本発明に係る布バネ座具は、車両座席脚部フレーム、事務用椅子脚部フレーム、長椅子脚部フレーム、車椅子台車フレーム等の座具本体フレームに戴設・固定して使用することが出来る（図３）。
【００３８】
係止桿１４の素材には、硬質プラスチックやアルミニウムが使用され、蟻溝１１、溝腔１３、内部空洞１２、中立板３５等の各部は、一体的に押出成形される。
その好ましい素材は、ポリ塩化ビニルとアルミニウムであり、特に強度的に、又、耐熱・耐燃性の点でアルミニウムを使用することが望ましい。
【００３９】
装飾地１７の端縁２１の筒状袋縁１８は、装飾地１７の端縁２１を折り返し、その折返し代を縫合して形成することが出来る。装飾地１７が織編布帛であれば、風通織編組織によって筒状袋縁１８を装飾地本体（１７）の耳部として織編成することが出来る。
【実施例】
【００４０】
図５は、装飾地１７を張設する長椅子のフレームとして使用される本発明に係る係止桿１４を示し、長椅子のフレームは、コ字形に折曲加工して平行に配置された２本の係止桿１４・１４を連結材１５によって連結して構成されている。図６は、図５に示す長椅子の装飾地１７と係止桿１４との係止箇所の分解斜視図である。
図６が示すように、係止桿１４の２つの蟻溝１１・１１の中の一方の蟻溝１１には装飾地１７を係止し、その他方の蟻溝１１にはバックアップ地３０を係止し、長椅子のフレームに装飾地１７とバックアップ地３０を二重に張設することも出来る。
【００４１】
図７は、ロールスクリーンのウエイトバーとして装飾地１７の端縁２１に係止された本発明に係る係止桿１４を示し、図８は、図７に示すロールスクリーンの装飾地１７と係止桿１４との係止箇所の分解斜視図である。
【００４２】
図９は、複数枚の装飾地１７・１７を係止桿１４を介して繋ぎ合わせて構成された垂れ幕を示し、図１０は、図９に示す垂れ幕の装飾地１７と係止桿１４との係止箇所の分解斜視図である。
【００４３】
図１１は、装飾地１７の端縁２１と装飾地１７の端縁２１の間に筒状袋縁１８を設け、係止桿１４を介して繋ぎ合わせて構成された間仕切りを示し、図１２は、図１１に示す間仕切りの装飾地１７と係止桿１４との係止箇所の分解斜視図である。
図１１と図１２が示すように、係止桿１４は、その２つの蟻溝１１・１１の中の一方の蟻溝１１には表側装飾地１７を係止し、その他方の蟻溝１１には裏側装飾地１７を係止し、それら表裏の装飾地１７・１７を連結し、間仕切りを遮音効果や断熱・保温・保冷効果、遮光効果のある二層構造にするためにも使用される。
【００４４】
本発明に係る係止桿１４は、図３〜図１２が示すように、座具フレームの部材としてだけではなく、ロールスクリーン装飾地のウエイトバー、ローマンシェード装飾地や垂れ幕のテンションバー、間仕切り装飾地の係止支柱、緞子張り装飾地の張設フレーム（端縁把持固定枠）等として、織物、編物、不織布、紙、人工皮革、合成皮革、天然皮革等の可撓性装飾地１７の端縁２１に設けられた空洞１９を有する筒状袋縁１８を係止桿の蟻溝１１に差し込み、その空洞１９に楔桿２０を差し込んで蟻溝の溝腔内１３で膨張させ、装飾地の端縁２１を蟻溝１１に係合させて係止桿１４に係止するために広く使用される。
【図面の簡単な説明】
【００４５】
【図１】本発明に係る係止桿の断面図である。
【図２】本発明に係る係止桿を使用して張設された装飾地の断面図である。
【図３】本発明に係る係止桿を使用して構成された座具フレームの斜視図である。
【図４】本発明に係る係止桿を使用して構成された座具フレームの斜視図である。
【図５】本発明に係る布バネ座具の斜視図である。
【図６】図５に示す布バネ座具の係止桿と装飾地の係止箇所の分解斜視図である。
【図７】本発明に係る係止桿の装着されたロールスクリーンの斜視図である。
【図８】図７に示す装飾地と係止桿の係止箇所の分解斜視図である。
【図９】本発明に係る係止桿の装着された垂れ幕の斜視図である。
【図１０】図９に示す垂れ幕の装飾地と係止桿の係止箇所の分解斜視図である。
【図１１】本発明に係る係止桿の装着された間仕切りの斜視図である。
【図１２】図１１に示す装飾地と係止桿の係止箇所の分解斜視図である。
【図１３】本発明に係る係止桿と従来の係止桿との比較断面図である。
【符号の説明】
【００４６】
１１：蟻溝
１２：空洞
１３：溝腔
１４：係止桿
１５：連結材
１６：座具フレーム
１７：装飾地
１８：筒状袋縁
１９：空洞
２０：楔桿
２１：端縁
２２：曲折箇所
２３：曲面
２４：背凭れ部
２５：腰載部
２６：脚部
２７：支脚部
２８：中間部
２９：張設面
３０：バックアップ地
３１：第１曲折箇所
３２：第２曲折箇所
３３：第３曲折箇所
３５：中立板
３６：側端
３７：詰物
４１：外周面部
４２：内周面部
５０：円形パイプ
５１：外周面側部分
５２：内周面側部分
５３：側端部
５４：中央部
５５：隙間
５６：側端
６１：弓形部分
６３：側端
６４：中立部材
６５：半円形空洞
６６：蟻溝
Ｇ：溝幅  
Ｐ：突出高さ
Ｑ、Ｓ、Ｔ：幅
Ｖ：短径
Ｗ：長径
Ｘ：長径軸
Ｙ：短径軸
【図１】
0005274796.tif 000002
【図２】
0005274796.tif 000003
【図３】
0005274796.tif 000004
【図４】
0005274796.tif 000005
【図５】
0005274796.tif 000006
【図６】
0005274796.tif 000007
【図７】
0005274796.tif 000008
【図８】
0005274796.tif 000009
【図９】
0005274796.tif 000010
【図１０】
0005274796.tif 000011
【図１１】
0005274796.tif 000012
【図１２】
0005274796.tif 000013
【図１３】
0005274796.tif 000014